(57)【要約】【課題】床の凹凸に合わせて、容易に設置できる壁パネル設置架台を提供する。【解決手段】既設床３１の上に載置されて、建物の壁パネル１２を支持する長尺状の壁パネル設置架台１０である。  そして、本体部１０７の下面側に設けられた凹部１０１には、上下方向に移動可能なアジャスタボルト１０２が配置されるとともに、そのアジャスタボルト１０２の下端は、本体部１０７の下面１０５より上方に収容可能に構成されている。【選択図】図１
2008208678.tif 000002
【特許請求の範囲】
【請求項１】
地面又は床の上に載置されて、建物の壁パネルを支持する長尺状の壁パネル設置架台であって、
本体部の下面側に設けられた凹部には、上下方向に移動可能なアジャスタボルトが配置されるとともに、
そのアジャスタボルトの下端は、前記本体部の下面より上方に収容可能に構成されていることを特徴とする壁パネル設置架台。
【請求項２】
前記アジャスタボルトのボルト孔は、前記本体部の上面側まで貫通して設けられるとともに、
前記アジャスタボルトの軸部の上端面には、締付用溝が設けられることを特徴とする請求項１に記載の壁パネル設置架台。
【請求項３】
前記壁パネルの下端には凸条が設けられるとともに、
前記本体部の上面側には該凸条を嵌挿するための溝が設けられ、
前記ボルト孔は、該溝内に設けられることを特徴とする請求項２に記載の壁パネル設置架台。
【請求項４】
請求項１乃至請求項３のいずれか一項に記載の壁パネル設置架台を備えることを特徴とする仮設建物。
【発明の詳細な説明】
【技術分野】
【０００１】
本発明は、壁パネルを立設するための壁パネル設置架台と、この壁パネル設置架台を備える仮設建物に関するものである。
【背景技術】
【０００２】
一般に、イベント会場や展示会場などでは、様々なサービスを提供するために、仮店舗として仮設建物が設置されることが多い。
【０００３】
このイベント会場等では、会場の使用時間が制限されているため、仮設建物の組立てを迅速に行うことが重要となっている。
【０００４】
例えば、特許文献１では、仮設建物を部分ごとに分け、それらを必要に応じて組み合わせて用いることで、多種多様な仮設建物の組立てを迅速に行っている。
【０００５】
一方、このような仮設建物を構築する際には、まず床に土台となる架台を敷設し、この架台の上に壁パネル等を立設していくが、床に凹凸が生じている場合には、架台がガタついたり、傾いたりすることで、仮設建物全体がガタついたり、傾いたりするという問題があった。
【０００６】
このため、従来は、架台と床との間に、薄い板状のスペーサを挿入することで、隙間を埋めていた。
【特許文献１】特開２００２−１５５５７６号公報
【発明の開示】
【発明が解決しようとする課題】
【０００７】
しかしながら、上記したスペーサを用いる方法では、高さの調整が難しく、調整作業に時間がかかるため、以後の作業が連鎖的に遅延してしまうという問題があった。
【０００８】
そこで本発明は、床の凹凸に合わせて、容易に設置できる壁パネル設置架台及びこの壁パネル設置架台を備える仮設建物を提供することを目的とする。
【課題を解決するための手段】
【０００９】
前記目的を達成するために、本発明の壁パネル設置架台は、地面又は床の上に載置されて、建物の壁パネルを支持する長尺状の壁パネル設置架台であって、本体部の下面側に設けられた凹部には、上下方向に移動可能なアジャスタボルトが配置されるとともに、そのアジャスタボルトの下端は、前記本体部の下面より上方に収容可能に構成されていることを特徴とする。
【００１０】
また、前記アジャスタボルトのボルト孔は、前記本体部の上面側まで貫通して設けられるとともに、前記アジャスタボルトの軸部の上端面には、締付用溝が設けられることを特徴とする。
【００１１】
さらに、前記壁パネルの下端には凸条が設けられるとともに、前記本体部の上面側には該凸条を嵌挿するための溝が設けられ、前記ボルト孔は、該溝内に設けられることを特徴とする。
【００１２】
そして、本発明の仮設建物は、上記したような壁パネル設置架台を備えることを特徴とする。
【発明の効果】
【００１３】
このように、本発明の壁パネル設置架台は、本体部の下面側に設けられた凹部にアジャスタボルトが配置されるとともに、このアジャスタボルトは本体部の下面より上方に収容可能に構成されている。
【００１４】
したがって、アジャスタボルトの突出長さを調整することによって、壁パネル設置架台を床の凹凸に合わせて容易に設置することができるとともに、アジャスタボルトを突出させなくてもよい箇所ではアジャスタボルトを収容することで、壁パネル設置架台の下面と床との設置面が広くなって安定性が向上する。
【００１５】
また、アジャスタボルトのボルト孔は本体部の上面側まで貫通して設けられるとともに、アジャスタボルトの軸部の上端面には締付用溝が設けられることで、壁パネル設置架台の仮置後に、本体部の上方からの作業でアジャスタボルトの突出量を調整することができるため、作業性が向上する。
【００１６】
さらに、壁パネルの下端には凸条が設けられるとともに、壁パネル設置架台の本体部の上面側にはこの凸条を嵌挿する溝が設けられ、ボルト孔はこの溝内に設けられるため、壁パネルからの荷重中心とアジャスタボルトの位置とが一致し、壁パネル設置架台の安定性が向上する。
【発明を実施するための最良の形態】
【００１７】
以下、本発明の最良の実施の形態について図面を参照して説明する。
【００１８】
まず、図２を用いて、仮設建物としての仮店舗１の全体構成を説明する。
【００１９】
この仮店舗１は、イベント会場などの既設床３１の上に設置されるもので、全体の土台となる壁パネル設置架台１０，１０，１０と、仮店舗１の床を構成する床材１１と、壁パネル設置架台１０，・・・の上面に立設される壁パネル１２，・・・と、仮店舗後側の隅に立設される柱１３，１３と、天井となる天井パネル１４と、入り口となるドアパネル１５と、壁パネル１２，・・・の上面に載置される笠木材１６と、調理用の厨房機器ユニット２１と、材料等を収納するための吊戸ユニット２２，２２と、調理された食材を保温等する定温・定湿ケース２３と、種々の情報を表示するサインパネル２４と、メニューを表示するメニューパネル２５と、会計などを行うカウンターユニット２６と、調理する際の油跳ねなどを防止するアクリルユニット２７と、顧客が購入物や荷物等を置くＳＵＳパイプ棚２８と、厨房機器ユニット２１や定温・定湿ケース２３の前面に貼設される腰壁パネル２９と、を備えている。
【００２０】
この天井パネル１４は、天井面を構成する天井材（図示せず）と、構造を補強する天井野縁（図示せず）と、から主に形成されており、吊戸ユニット２２，２２などが吊り下げられている。
【００２１】
また、壁パネル１２は、図４の分解図に示すように、構造の骨格となる柱状の縦フレーム１２２，１２２と、板状の横フレーム１２３，・・・と、内面側で構造の骨格を補強するための構造用合板上部１２４ａと、構造用合板下部１２４ｂと、構造用合板上部１２４ａと構造用合板下部１２４ｂとを連結する板状の構造用縦材１２４ｃと、仕上材の下地となるプラスターボード１２５と、内壁仕上材１２６と、外面側で構造の骨格を補強するための板状の構造用縦材１２７と、上部合板１２８ａと、下部合板１２８ｂと、プラスターボード１２８ｃと、外壁仕上材１２９と、を備えている。
【００２２】
この縦フレーム１２２は、木材などによって柱状に形成されて、横フレーム１２３が嵌合される側面には、上下方向の全長にわたって横フレーム１２３の板厚と略同一の幅を有する溝が形成されている。
【００２３】
さらに、縦フレーム１２２は、天井パネル１４からの鉛直方向の荷重を支持するために充分な断面積を備えている。
【００２４】
また、横フレーム１２３は、木材などによって板状に形成されて、縦フレーム１２２，１２２の間に複数枚が架け渡されることで、縦フレーム１２２とともに壁パネル１２の骨格を形成している。
【００２５】
さらに、この横フレーム１２３の両端は、縦フレーム１２２，１２２に設けられた溝に嵌合して強固に固定されている。
【００２６】
そして、横フレーム１２３，・・・のうち、最も上にある横フレーム１２３は、縦フレーム１２２の上端よりも上に、はみ出して設置されていることで、笠木材１６に設けた溝と嵌合するように形成されている。
【００２７】
同様に、横フレーム１２３，・・・のうち、最も下にある横フレーム１２３は、縦フレーム１２２の下端よりも下に、はみ出して凸条１２１を形成しており、壁パネル設置架台１０に設けた溝１０４に嵌挿する（図１参照）。
【００２８】
そして、この凸条は、図１に示すように、壁パネル設置架台１０に設けた溝１０４に嵌挿した状態で、タッピングビス１３０によって、壁パネル設置架台１０の本体部１０７に固定されている。
【００２９】
また、凸条１２１は、板状の横フレーム１２３が、縦フレーム１２２よりも下に突出したものであるため、両端の縦フレーム１２２，１２２に嵌合して、強固に固定されているとともに、壁パネル１０の壁厚方向のほぼ中央に位置している。
【００３０】
そして、本実施の形態の壁パネル設置架台１０は、図１又は図３に示すように、本体部１０７と、この本体部１０７に設けられたボルト孔１０３に設置されるアジャスタボルト１０２，・・・と、を備えている。
【００３１】
この本体部１０７は、木材などによって、壁パネル１２の壁厚よりも幅が広い長尺状に形成され、上面側の溝１０４と、この溝１０４の下方に設けられたボルト孔１０３と、下面側の凹部１０１と、この凹部１０１の上面に固定されるアジャスタベース１０６と、を備えている。
【００３２】
また、このボルト孔１０３は、本体部１０７の下面側の凹部１０１の上面から、本体部１０７の上面側の溝１０４の下面まで貫通して設けられて、アジャスタボルト１０２を挿入できるように、アジャスタボルト１０２の軸部１０２ａの直径に合わせて形成されている。
【００３３】
さらに、ボルト孔１０３は、上下方向に移動可能なアジャスタボルト１０２の軸部１０２ａが最も上に位置する場合でも軸部１０２ａの上端が溝１０４内に突出しない深さに形成されている。
【００３４】
また、本体部１０７の上面側に設けられた溝１０４は、本体部１０７の壁厚方向の中央近傍に設けられて、壁パネル１２の凸条１２１の板厚とほぼ同一の幅を有するように形成されるとともに、図３に示すように、壁の延長方向には全長に渡って設けられている。
【００３５】
さらに、下面側に設けられた凹部１０１は、本体部１０７の壁厚方向の中央近傍に設けられて、アジャスタボルト１０２の接地部１０２ｂの幅よりも広い幅かつ接地部１０２ｂの高さよりも深く形成されるとともに、図３に示すように、壁の延長方向には全長に渡って設けられている。
【００３６】
また、本体部１０７の下面側に設けられた凹部１０１の壁厚方向の両側に位置する、本体部１０７の下面１０５，１０５は、壁の延長方向の全長に渡って形成されるため、鉛直荷重を支持するために充分な接地面積を持っている。
【００３７】
そして、アジャスタボルト１０２は、金属などによって形成され、円柱状の軸部１０２ａと、テーパー状の接地部１０２ｂと、を備えるもので、本体部１０７の下面側に設けられた凹部１０１に、壁の延長方向に一定の間隔で設けられている。
【００３８】
また、この軸部１０２ａは、円柱状の周面にねじ溝が設けられているとともに、上端面には締付用溝１０２ｃが設けられている。
【００３９】
さらに、軸部１０２ａの断面積は、壁パネル１２を通じて載荷される鉛直荷重を支持するのに充分な断面積を有している。
【００４０】
また、締付用溝１０２ｃは、いわゆるマイナス型であり、軸部１０２ａの上端の円形状断面を直径方向に横断する直線状に形成されるとともに、市販されているドライバーの先端を挿し込み可能な幅に形成されている。
【００４１】
次に、図３又は図５を参照しながら、本実施の形態の壁パネル設置架台１０及び壁パネル１２の設置方法について説明する。
【００４２】
まず、仮店舗１を設置する場所まで壁パネル設置架台１０を運搬し、図３に示すように、壁パネル設置架台１０を所定の設置位置に仮置きする。この際、アジャスタボルト１０２，・・・は、最上部の位置にあって、壁パネル設置架台１０の本体部１０７の下面側の凹部１０１に下端が収容された状態となっている。
【００４３】
次に、仮置きした壁パネル設置架台１０が水平を保っていることを確認しながら、本体部１０７の上面側まで貫通したボルト孔１０３に、上方からドライバーを挿し込んでアジャスタボルト１０２を回転させることで、アジャスタボルト１０２の突出量を調整する。
【００４４】
すなわち、図５に示すように、本体部１０７の下面１０５が既設床３１に接地している箇所では、下面１０５より下方にアジャスタボルト１０２，・・・の下端を突出させないとともに、下面１０５が既設床３１に接地していない箇所では、アジャスタボルト１０２，・・・を回して下面１０５より下方に突出させて、アジャスタボルト１０２の接地部１０２ｂを既設床３１に接地させる。
【００４５】
一方、壁パネル１２は、あらかじめ別工程で組立てられ、外面側の下部合板１２８ｂと外壁仕上材１２９が設けられていない他は、ほぼ完成された状態となっている。
【００４６】
そして、すべてのアジャスタボルト１０２，・・・の突出量の調整が完了した後に、上面が水平になった壁パネル設置架台１０の上に壁パネル１２，・・・を載置する。
【００４７】
この際、壁パネル１２の下端に設けた凸条１２１は、壁パネル接地架台１０の本体部１０７の上面側に設けた溝１０４に、嵌挿される。
【００４８】
次に、溝１０４に嵌挿された凸条１２１と本体部１０７とを、タッピングビス１３０，・・・で固定することで、壁パネル１２と壁パネル設置架台１０とを固定する。
【００４９】
最後に、凸条１２１を有する最も下方の横フレーム１２３に、下部合板１２８ｂを貼設した上で、表面に外壁仕上材１２９を貼設することで、壁パネル１２の設置が完成する。
【００５０】
次に図３及び図５を参照しながら、本実施の形態の壁パネル設置架台１０の作用について説明する。
【００５１】
このように構成された本実施の形態の壁パネル設置架台１０は、本体部１０７の下面側に設けられた凹部１０１にアジャスタボルト１０２，・・・が配置されるとともに、このアジャスタボルト１０２は本体部１０７の下面１０５より上方に収容可能に構成されている。
【００５２】
したがって、壁パネル設置架台１０を既設床３１の凹凸に合わせて容易に設置することができるとともに、壁パネル設置架台１０の下面１０５と既設床３１との設置面が広くなることで安定性が向上する。
【００５３】
すなわち、図５に示すように、既設床３１に凹凸が生じている場合には、壁パネル設置架台１０の本体部１０７の下面１０５が既設床３１に接地している箇所は、アジャスタボルト１０２，・・・を突出させないで、接地していない箇所は、アジャスタボルト１０２，・・・を突出させる。
【００５４】
したがって、この接地している箇所では、図１（ａ）に示すように、本体部１０７の下面１０５，１０５の全体が接触して接触面積が広くなって、接触面の壁厚方向の断面二次モーメントが大きくなり、倒れにくい構造となっている。
【００５５】
加えて、接地していない箇所では、図１（ｂ）に示すように、アジャスタボルト１０２の接地部１０２ｂが接地しており、この接地箇所も支点とみなすことができる。
【００５６】
つまり、アジャスタボルト１０２は、壁パネル１２が載置されずに鉛直荷重が作用していない状態では、回転させることが容易で突出量を調整できるが、壁パネル１２が載置されて鉛直荷重が作用している状態では、アジャスタベース１０６とアジャスタボルト１０２のねじ溝が押し付け合うため、上下方向に移動しなくなる。
【００５７】
このように、本体部１０７の下面１０５とアジャスタボルト１０２，・・・とが、既設床３１と複数の箇所で接地して荷重を支持するため、壁パネル設置架台１０は、全体として不静定次数の高い構造となって安定性が向上する。
【００５８】
また、アジャスタボルト１０２のボルト孔１０３は本体部１０７の上面側まで貫通して設けられるとともに、アジャスタボルト１０２の軸部１０２ａの上端面には締付用溝１０２ｃが設けられるため、壁パネル設置架台１０の仮置後に、本体部１０７の上方からの作業で、アジャスタボルト１０２の突出量を調整することができ、作業性が向上する。
【００５９】
すなわち、従来のように、スペーサを用いる方法では、隙間にスペーサを挿入する際に、既設床３１に寝転ぶなどのきわめて低い姿勢で作業を行う必要があったが、本発明では、壁パネル設置架台１０の上方から作業することができるため、しゃがむ程度の姿勢で作業できる。
【００６０】
このように、それ程低い姿勢をとらずに作業できるため、壁パネル設置架台１０を手で持って高さを微調整しながら、アジャスタボルト１０２の突出量を調整できるため、アジャスタボルト１０２の調整作業を容易に行うことができる。
【００６１】
また、壁パネル１２の下端には凸条１２１が設けられるとともに、壁パネル設置架台１０の本体部１０７の上面側にはこの凸条１２１を嵌挿するための溝１０４が設けられ、ボルト孔１０３はこの溝１０４の内部に設けられるため、壁パネル１２からの荷重中心とアジャスタボルト１０２の位置とが一致し、壁パネル設置架台１０の安定性が向上する。
【００６２】
すなわち、図４に示すように、壁パネル１２の荷重を支持する縦フレーム１２２，１２２は凸条１２１を中心として左右対称の構造となっており、縦フレーム１２２，１２２から伝達される鉛直荷重の中心は、壁厚方向の中央近傍にある凸条１２１の位置とほぼ一致している。
【００６３】
したがって、凸条１２１と嵌合する本体部１０７の上面側の溝１０４の下方に設けられるボルト孔１０３の位置と、荷重中心は一致することとなる。
【００６４】
このように、荷重中心と、荷重を支持するアジャスタボルト１０２と、の壁厚方向の位置が一致することで、壁厚方向に回転モーメントが作用しなくなるため、壁パネル設置架台１０の安定性が向上する。
【００６５】
加えて、ボルト孔１０３が、壁パネル設置架台１０の上面側に設けた溝１０４内に設けられるため、壁パネル１２を載置した後には、外部からこのボルト孔１０３が見えなくなって、壁パネル設置架台１０の美観が向上する。
【００６６】
そして、上記のように、壁パネル設置架台１０を容易かつ迅速に設置できることで、以後のすべての作業が連鎖的に遅れることもなく、仮店舗１全体の設置を迅速に行うことができる。
【００６７】
特に、イベント会場など会場の使用時間が制限されている場合には、仮店舗１を迅速に設置できる効果は大きい。
【００６８】
以上、図面を参照して、本発明の最良の実施の形態を詳述してきたが、具体的な構成はこの実施の形態に限らず、本発明の要旨を逸脱しない程度の設計的変更は、本発明に含まれる。
【００６９】
例えば、本実施の形態では、本体部１０７の下面側に設けられた凹部１０１として、本体部１０７の壁延長方向に連続する溝状の凹部１０１が設けられた場合について説明したが、これに限定されるものではなく、凹部１０１は、本体部１０７の下面側にアジャスタボルト１０２を設ける位置に合わせて断続的に複数設けられるものであってもよい。
【００７０】
また、本実施の形態では、アジャスタボルト１０２の軸部１０２ｂの上端面の締付用溝１０２ｃとして、いわゆるマイナス型のものが設けられる場合について説明したが、これに限定されるものではなく、プラス型や、六角型など、アジャスタボルト１０２を締付けることができるものであればどのような形状であってもよい。
【００７１】
そして、本実施の形態では、アジャスタボルト１０２の接地部１０２ｂの下面が既設床３１に直接に接地する場合について説明したが、これに限定されるものではなく、接地部１０２ｂの下面にゴム製のカバーや粘着テープなどを設けるなどして、より既設床３１との密着性を高めるものであってもよい。
【００７２】
さらに、本実施の形態では、仮店舗１が既設床３１上に設置される場合について説明したが、これに限定されるものではなく、地面や、コンクリート面など、ある程度の平坦性を有する場所であれば、どのような場所にも適用することができる。
【図面の簡単な説明】
【００７３】
【図１】本発明の最良の実施の形態の壁パネル設置架台の構成を説明する断面図である。（ａ）はアジャスタボルトが収容された状態であり、（ｂ）はアジャスタボルトが突出した状態である。
【図２】本発明の最良の実施の形態の壁パネル設置架台を備える仮店舗の全体構成を説明する斜視図である。
【図３】本発明の最良の実施の形態の壁パネル設置架台の全体構成を説明する斜視図である。
【図４】壁パネルの構成を分解して説明する分解図である。
【図５】壁パネル設置架台を設置した際のアジャスタボルトの下端の位置を示す説明図である。
【符号の説明】
【００７４】
１          仮店舗（仮設建物）
１０        壁パネル設置架台
１０１      凹部
１０２      アジャスタボルト
１０２ａ    軸部
１０２ｃ    締付用溝
１０３      ボルト孔
１０４      溝
１０５      本体部の下面
１０７      本体部
１２１      凸条
３１        既設床（地面又は床）
【図１】
2008208678.tif 000003
【図２】
2008208678.tif 000004
【図３】
2008208678.tif 000005
【図４】
2008208678.tif 000006
【図５】
2008208678.tif 000007